(57)【特許請求の範囲】
【請求項１】
便器と、該便器からの排泄物が導入される容器と、該容器を収容した容器収容室と、該便器使用者の臀部を温水で洗浄するように温水を噴出する温水洗浄装置とを有するポータブルトイレにおいて、
該温水洗浄装置からの温水噴出量を計測する手段と、
該計測手段で計測された温水噴出量の積算値が所定値に達した場合に温水噴出を制限する制御手段と、
を備えてなるポータブルトイレ。
【請求項２】
請求項１において、前記容器収容室からの容器の取り出しを検知する容器取出検知手段が設けられており、
前記洗浄手段は、該容器取出検知手段の容器取出検知信号に基づいて温水噴出量の積算値をゼロにリセットすることを特徴とするポータブルトイレ。
【発明の詳細な説明】
【０００１】
【発明の属する技術分野】
本発明は、病室や、個人住宅の寝室などに置くことが可能なポータブルトイレに関するものであり、特に臀部を温水で洗浄する温水洗浄装置を組み込んだポータブルトイレに関するものである。
【０００２】
【従来の技術】
近年、高齢者時代の到来とともに在宅の寝たきり老人の介護が大きな社会問題となりつつある。この介護に際しては特に排泄物の処理が大変である。
【０００３】
近年、病室などの室内に家具の如く置いておくことができるポータブルトイレが種々市販されるようになってきた。このポータブルトイレは、椅子の座部に相当する部分に便器上縁を配置し、この便器の下側に容器収容室を設け、この容器収容室内に可搬式容器状の容器を配置したものである。要介護者の排泄物は、この容器内に落下する。この容器は、介護者が適時に容器収容室から取り出し、トイレルーム等にて処理する。
【０００４】
近年、このポータブルトイレに臀部を温水で洗浄する温水洗浄装置を組み込んだものが市販されるようになってきた。この温水洗浄装置を用いると、臀部を清潔にすることができると共に、容器内に溜った汚物を水が覆うようになり臭気発散も防止されるというメリットも得られる。
【０００５】
【発明が解決しようとする課題】
温水洗浄装置を組み込んだポータブルトイレは、温水洗浄装置の使用分だけ容器に溜る水量が多くなり、容器から汚物がオーバーフローする恐れがある。また、温水洗浄装置をストップし忘れた場合にも、容器から汚物がオーバーフローする恐れがある。
【０００６】
本発明は、このような温水洗浄装置の使用に起因した容器からのオーバーフローを防止することを目的とする。
【０００７】
【課題を解決するための手段】
本発明のポータブルトイレは、便器と、該便器からの排泄物が導入される容器と、該容器を収容した容器収容室と、該便器使用者の臀部を温水で洗浄するように温水を噴出する温水洗浄装置とを有するポータブルトイレにおいて、該温水洗浄装置からの温水噴出量を計測する手段と、該計測手段で計測された温水噴出量の積算値が所定値に達した場合に温水噴出を制限する制御手段と、を備えてなるものである。
【０００８】
かかるポータブルトイレによると、温水洗浄装置からの温水噴出量の積算値が所定量に達すると温水噴出が制限（例えば停止）されるため、温水噴出に起因した容器からのオーバーフローが防止されるようになる。
【０００９】
本発明では、容器収容室からの容器の取り出しを検知する容器取出検知手段が設けられており、洗浄手段は、該容器取出検知手段の容器取出検知信号に基づいて温水噴出量の積算値をゼロにリセットするよう構成することが好ましい。これにより、積算値をゼロにリセットする操作が不要となり、介護者の負担が少なくなる。
【００１０】
【発明の実施の形態】
以下、図面を参照して実施の形態について説明する。図１（ａ）は実施の形態に係るポータブルトイレの断面図、図１（ｂ）はそのブロック図、図２は制御内容を示すフローチャートである。
【００１１】
脚１０を有して箱状の架台１２に便器１４が設置されている。この便器１４はその上縁が架台１２の上面に係止されており、上縁以外は架台１２内に配置されている。便器１４の下方の架台に内部空間が容器収容室１６となっており、容器１８が配置されている。容器１８は上方が開放しており、便器１４からの落下物をその内部に受け入れるようになっている。
【００１２】
容器収容室１６の奥にはストッパ２０が設けられ、このストッパ２０にリードスイッチ２２が設けられている。容器１８の奥側面には、該リードスイッチ２２と対面するようにマグネット２４が設けられている。架台１２の前面下部には扉２６が設けられており、この扉２６を開けて容器１８を出入れしうるようになっている。この容器１８の前面部には把手１８ａが設けられている。
【００１３】
架台１２の後部上面に便座ボックス３０が設置されており、この便座ボックス３０に便座３２が起倒方向回動可能に連結されている。
【００１４】
この便座ボックス３０内には、便座に着座した人体の臀部を温水で洗浄するためのシャワーノズル３４のほか、このシャワーノズル３４に温水を供給するための温水タンク３６、ポンプ３８、該ポンプ３８の制御回路４０等が設置されている。
【００１５】
この制御回路４０へは、リモコンもしくは便座ボックス３０の側方張出部（図示略）に設けられた洗浄スイッチ４２、洗浄強さ調節スイッチ４４、洗浄停止用ストップスイッチ４６のほか、前記リードスイッチ２２から信号が入力される。図示はしないが、温水タンク３６にはヒータと温度センサが設けられ、この温度センサの検出水温が設定温度となるようにヒータへの通電が制御される。また、上記のリモコン又は張出部には、この設定温度を調節するためのスイッチが設けられ、制御回路４０にはヒータへの通電制御部も設けられている。
【００１６】
前記シャワーノズル３４は、シリンダ３４ａと、該シリンダ３４ａから突出するノズル本体３４ｂとを有している。シリンダ３４ａ内に温水が供給されると、ノズル本体３４ｂが前進し、その先端から温水が上方に向けて噴出し、人体臀部が温水で洗浄される。
【００１７】
この実施の形態では、ポンプ３８の回転数を調節することによりシャワーノズルズル３４からの単位時間当りの温水噴出量（洗浄強さ）が調節される。また、このポンプ３８の回転数を積算することにより温水噴出量（積算値）を演算するようにしている。
【００１８】
このように構成されたポータブルトイレの作動例を図２を参照して説明する。
【００１９】
制御回路４０の噴出量積算値メモリには初期値としてゼロが記憶されている。
【００２０】
リードスイッチ２２がＯＮとなるまで容器１８が容器収容室１６内に深く差し込まれていると、ステップ１からステップ４に移り、洗浄スイッチ４２が操作されるまで待機する。洗浄スイッチ４２が操作されると、ステップ４からステップ５に進み、ポンプ３８を作動させると共に、噴出量を積算する（ステップ６〜７）。この噴出量の積算値が設定量Ａに達する前にストップスイッチ４６が操作されると、ステップ７からステップ８に移り、ポンプ３８を停止し、ステップ１に戻る。なお、設定量Ａは、容器１８の容量よりも小さい。ステップ６において、ストップスイッチ４６が操作される前に噴出量の積算値が設定量Ａに達したときにも、ステップ６からステップ８に移り、ポンプ３８を停止し、ステップ１に戻る。
【００２１】
ステップ１に戻った後、容器１８を取り出すことなく２回目の使用がなされた場合には、上記と同一の手順が繰り返される。この場合、温水噴出量積算値は１回目の噴出量と通算され、通算噴出量（積算値）が設定量Ａに達したならばポンプ３８が停止される。引き続いて３回目以外の使用が行われたときも同様である。
【００２２】
ポンプ３８が停止した状態にあるときに容器１８が取り出されると、リードスイッチ２２がＯＦＦとなるので、ステップ１からステップ２に移り、リードスイッチ２２がＯＮとなるまで待機する。そして、容器１８が装着されてリードスイッチ２２がＯＮとなると、ステップ２からステップ３に移り、噴出量積算値メモリをゼロにリセットした後、ステップ４に移る。その後の手順は上記と同じとなる。
【００２３】
このように、この実施の形態によると、容器１８内に温水洗浄水が設定量Ａ以上溜ることがないので、温水洗浄装置の使用に起因した容器１８からのオーバーフローが防止される。
【００２４】
上記実施の形態では、ポンプ３８の回転数の積算値から温水噴出量を演算しているが、流量計を用いて温水噴出量を計測してもよい。
【００２５】
上記実施の形態では架台１２と便座ボックス３０とが別体となっているが、合成樹脂により両者を一体に成形してもよい。架台１２内には脱臭装置を設けてもよい。また、容器１８の総重量を検知するセンサを設けて容器１８の内容物の総重量が設定量を超えたときには温水噴出を停止するようにしてもよい。
【００２６】
【発明の効果】
以上の通り、本発明によると、温水洗浄装置付きのポータブルトイレにおいて、温水洗浄装置の作動に起因した容器からのオーバーフローを防止できる。
【図面の簡単な説明】
【図１】（ａ）は実施の形態に係るポータブルトイレの断面図、図１（ｂ）はそのブロック図である。
【図２】制御内容を示すフローチャートである。
【符号の説明】
１２  架台
１４  便器
１６  容器収容室
１８  容器
２２  リードスイッチ
２４  マグネット
３０  便座ボックス
３４  シャワーノズル
【図１】
0003788316.tif 000002
【図２】
0003788316.tif 000003